(57)【要約】      （修正有）【課題】締結／減衰システムを有する磁気共鳴器（ＭＲＤ）内の保持器を提供する。【解決手段】ＭＲＤ内の前記保持器は、（ａ）２個の極片４５と、（ｂ）前記極片を実質的に包囲し、それにより磁気包絡線および包囲された体積をその中で画定する２個の側面磁石と、（ｃ）前記側面磁石を実質的に包囲する２個の側壁１０と、（ｄ）２個の面壁３０と、（ｅ）複数の締結棒１００と、を備え、前記締結棒のそれぞれは、少なくとも１対の側壁を物理的に相互接続し、前記側面磁石のうち少なくとも１つおよび前記極片のうち少なくとも１つを通過する。【選択図】図９
0003177176.tif 000002
【実用新案登録請求の範囲】
【請求項１】
ａ．Ｍが２より大きいかまたは等しい整数であるＭ個の極片（４５）と、
ｂ．Ｎが２より大きいかまたは等しい整数であり、前記側面磁石は前記極片を実質的に包囲し、それにより磁気包絡線および包囲された体積をその中で画定するＮ個の側面磁石（２０）と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結棒（１００）と、を備え、
前記締結棒のそれぞれは、少なくとも１対の側壁を物理的に相互接続し、前記側面磁石のうち少なくとも１つおよび前記極片のうち少なくとも１つを通過する磁気共鳴機器（ＭＲＤ）内の締結システム（１）を有する保持器。
【請求項２】
締結システム（２）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結ネジ（２００）と、を備え、
前記締結ネジのそれぞれは、前記面壁のうち１つを前記側壁のうち１つと物理的に相互接続することを特徴とする請求項１に記載のＭＲＤ内の締結システムを有する保持器。
【請求項３】
締結システム（３）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結棒（１００）と、
ｆ．複数の締結ネジ（２００）と、を備え、
前記締結棒のそれぞれは、少なくとも１対の側壁を物理的に相互接続し、前記側面磁石のうち少なくとも１つおよび前記極片のうち少なくとも１つを通過し、さらに、前記締結ネジのそれぞれは、前記面壁のうち１つを前記側壁のうち１つと物理的に相互接続することを特徴とする請求項１に記載のＭＲＤ内の締結システムを有する保持器。
【請求項４】
締結システム（５）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．少なくとも１つの成形された凹部により画定され、前記側面磁石を実質的に包囲するＮ個の側壁（１０）と、
ｄ．前記成形された凹部内に堅固に収容されるのに適した少なくとも１つの係留掛け金（２１０）により画定され、Ｐが２より大きいかまたは等しい整数であるＰ個の面壁（３０）と、
ｅ．複数の締結ネジ（２００）と、を備え、
前記少なくとも１つの係留掛け金のそれぞれは、前記面壁のうち１つを前記側壁のうち１つと物理的に相互接続することを特徴とする請求項１に記載のＭＲＤ内の締結システムを有する保持器。
【請求項５】
締結システム（６）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．少なくとも１つの締結ベルト（４００）と、を備え、
前記少なくとも１つの締結ベルトは、保持器の周囲の少なくとも一部を物理的に相互接続することを特徴とする請求項１に記載のＭＲＤ内の締結システムを有する保持器。
【請求項６】
締結システム（７）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結棒（１００）と、
ｆ．少なくとも１つの締結ベルト（４００）と、を備え、
前記締結棒のそれぞれは、少なくとも１対の側壁を物理的に相互接続し、前記側面磁石のうち少なくとも１つおよび前記極片のうち少なくとも１つを通過し、さらに、前記少なくとも１つの締結ベルトは、保持器の周囲の少なくとも一部を物理的に相互接続することを特徴とする請求項１に記載のＭＲＤ内の締結システムを有する保持器。
【請求項７】
締結システム（８）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結ネジ（２００）と、
ｆ．少なくとも１つの締結ベルト（４００）と、を備え、
前記締結ネジのそれぞれは、前記面壁のうち１つを前記側壁のうち１つと物理的に相互接続し、さらに、前記締結ベルトのそれぞれは、保持器の周囲の少なくとも一部を物理的に相互接続することを特徴とする請求項１に記載のＭＲＤ内の締結システムを有する保持器。
【請求項８】
締結システム（９）により固定され、かつ、
ａ．Ｍが２より大きいかまたは等しい整数であるＭ個の極片（４５）と、
ｂ．Ｎが２より大きいかまたは等しい整数であり、前記極片を実質的に包囲し、それにより磁気包絡線および包囲された体積をその中で画定するＮ個の側面磁石と、
ｃ．前記側面磁石を実質的に包囲するＮ個の側壁（１０）と、
ｄ．Ｐが２より大きいかまたは等しい整数であるＰ個の面壁（３０）と、
ｅ．複数の締結棒（１００）と、
ｆ．複数の締結ネジ（２００）と、
ｇ．少なくとも１つの締結ベルト（４００）と、を備え、
前記締結棒のそれぞれは、少なくとも１対の側壁を物理的に相互接続し、前記側面磁石のうち少なくとも１つおよび前記極片のうち少なくとも１つを通過し、前記締結ネジのそれぞれは、前記面壁のうち１つを前記側壁のうち１つと物理的に相互接続し、さらに、前記締結ベルトのそれぞれは、保持器の周囲の少なくとも一部を物理的に相互接続することを特徴とする請求項１に記載のＭＲＤ内の締結システムを有する保持器。
【請求項９】
締結システム（１０）により固定され、かつ、
ａ．Ｍが２より大きいかまたは等しい整数であるＭ個の極片（４５）と、
ｂ．Ｎが２より大きいかまたは等しい整数であり、前記側面磁石は前記極片を実質的に包囲し、それにより磁気包絡線および包囲された体積をその中で画定するＮ個の側面磁石（２０）と、
ｃ．少なくとも１つの成形された凹部により画定され、前記側面磁石を実質的に包囲するＮ個の側壁（１０）と、
ｄ．前記成形された凹部内に堅固に収容されるのに適した少なくとも１つの係留掛け金（２１０）により画定され、Ｐが２より大きいかまたは等しい整数であるＰ個の面壁（３０）と、
ｅ．少なくとも１つの締結ベルト（４００）と、を備え、
前記締結ベルトは、前記保持器の周囲の少なくとも一部を物理的に相互接続し、さらに、前記係留掛け金のそれぞれは、前記面壁のうち１つを前記側壁のうち１つと物理的に相互接続することを特徴とする請求項１に記載のＭＲＤ内の締結システムを有する保持器。
【請求項１０】
一組の少なくとも２つの締結支台（３００）をさらに備える請求項５〜９の何れか一項に記載のＭＲＤ内の締結システムを有する保持器。
【請求項１１】
爪車４０１をさらに備え、前記少なくとも１つの締結ベルト（４００）は爪車４０１を用いて締結および固定される請求項５〜９の何れか一項に記載のＭＲＤ内の締結システムを有する保持器。
【請求項１２】
３つ以上の小平面を有する多角形、円筒およびそれらの任意の組み合わせから成る群から選択される形状に成形された内部および／または外部の横断面を特徴とする請求項１に記載のＭＲＤ内の締結システムを有する保持器。
【請求項１３】
締結手段が、３つ以上の小平面を有する多角形、円筒およびそれらの任意の組み合わせから成る群から選択される形状に成形された横断面を特徴とするように構成される請求項１２に記載の保持器。
【請求項１４】
締結／減衰システム（１１）により固定され、かつ、
ａ．Ｍが２より大きいかまたは等しい整数であるＭ個の極片（４５）と、Ｑが２より大きいかまたは等しい整数であり、少なくとも１つは少なくとも１つの極片（４５）に取り付けられ、主磁石および／または前記極片は、保持器が組み立てられる際に、前記磁石による最高に均質の磁気勾配の印加を保証する三次元構成内に位置付けられるＱ個の主磁石（１２６）と、
ｂ．Ｎが２より大きいかまたは等しい整数であり、前記側面磁石は前記極片を実質的に包囲し、それにより磁気包絡線および包囲された体積をその中で画定するＮ個の側面磁石（２０）と、
ｃ．少なくとも１つの成形された凹部により画定され、前記側面磁石を実質的に包囲するＮ個の側壁（１０）と、
ｄ．Ｐが２より大きいかまたは等しい整数であるＰ個の面壁（３０）と、
ｅ．Ｒが１より大きいかまたは等しい整数であり、それぞれが、前記主磁石の極に対して実質的に北−南に整列され、かつ、端蓋（１２３）、端杯部（１２１）、前記主磁石（１２６）および前記極片（４５）を横断し、少なくとも１つは、締結可能で、操縦可能で、またはそうでなければ、少なくとも一端に隣接して位置する制御された調節機構（１２５）を用いて調節可能であるＲ個の分離／調節棒（ＳＡＰ、１２４）と、を備え、
前記ＳＡＰを締結、操縦、またはそうでなければ、前記制御された減衰機構を用いて調節することにより、前記主磁石および／または前記極片の何れかの三次元構成が調節され、均質で、安定しかつ均一の磁場をその中に提供することを特徴とする締結／減衰システムを有するＭＲＤ内の保持器。
【請求項１５】
前記ＳＡＰのそれぞれは、前記端蓋および端部間隙の間の前設定された間隙を横断する請求項１４に記載の締結／減衰システムを有するＭＲＤ内の保持器。
【請求項１６】
３つ以上の小平面を有する多角形、円筒およびそれらの任意の組み合わせから成る群から選択される形状に成形された内部および／または外部の横断面を特徴とする請求項１４に記載の締結／減衰システムを有するＭＲＤ内の保持器。
【請求項１７】
締結／減衰システムが、３つ以上の小平面を有する多角形、円筒およびそれらの任意の組み合わせから成る群から選択される形状に成形された横断面を特徴とするように構成される請求項１４に記載の保持器。
【考案の詳細な説明】
【技術分野】
【０００１】
本出願は、２００９年６月３０日に出願された、米国仮出願第６１／２２１，５７１号から優先権を主張する。
【０００２】
本考案は、締結／減衰システムを有する磁気共鳴機器（ＭＲＤ）内の保持器、およびその方法に関係する。
【背景技術】
【０００３】
磁気共鳴は、核磁気共鳴（ＮＭＲ）分光法、電子スピン共鳴（ＥＳＲ）分光法、核四極共鳴（ＮＱＲ）、および磁気共鳴結像（ＭＲＩ）を含む、物質を分析および結像する種々の用途において用いられる。その原理は、均一の磁場に曝露される際に、原子内の亜原子粒子が磁場と整列することになることである。短い電磁爆発はその整列を乱し、亜原子粒子から信号を生成する。信号の多さは、試料の組成、構造、および場所について研究者に伝えることができる。より均一の磁場は、より少ない雑音およびより正確な結果を生み出すことになる。高品質の画像を生成するために、用いられる磁場は極めて安定しかつ均一でなければならない。
【０００４】
Ｃ磁石およびＨ磁石の構成等の、単純な永久磁石の構造の使用は、十分に均一の磁場を実現するのに十分でない。このような均一性を実現するために、場の重ね合わせの原理により、磁場の不均質性を矯正する要素が加えられる。コイル、磁気部品、または主要な場の矯正を可能にする他の手段が、目的の区域内で均質の場を得るために加えられる。こうした寄与的な構成部の正確な場所特定は重要である。
【０００５】
ウェストファール他（Westphal et. al.）に対する米国特許第５，９５９，４５４号は、ＮＭＲ断層撮影システムのための、具体的には皮膚および表面の検査のための磁石配列を開示しており、それは、２つの環磁石および円筒形磁石を有する片側のＮＭＲシステムを包含する。それらの各々の場所特定は、一定程度の均一性を提供する。
【０００６】
米国特許第６，１９１，５８４号は、空洞部を区切るかまたは包囲するように成形された、継鉄および磁極を有する磁気構造を包含するＮＭＲ画像検出のための永久磁石を提示している。
【０００７】
米国特許第６，９４６，９３９号は、多数の永久磁石で構成される連動磁気回路包装体のための包装板を開示している。
【０００８】
寄与的な磁場の位置および減衰を調節する能力は、目的の領域内における場のより正確な較正を可能にする。従って、締結および減衰システムを有する磁気共鳴機器内の保持器は、長きにわたる必要性を未だに満たす。
【考案の概要】
【０００９】
ＭＲＤ（磁気共鳴機器）内の締結システムを有する保持器を開示することが本考案の１つの目的であり、前記締結システムを有する保持器は、Ｍが２より大きいかまたは等しい整数である複数のＭ個の極片と、複数のＮが２より大きいかまたは等しい整数であり、前記極片を実質的に包囲し、それにより磁気包絡線および包囲された体積をその中で画定するＮ個の側面磁石と、前記側面磁石を実質的に包囲する複数のＮ個の側壁と、Ｐが２より大きいかまたは等しい整数である複数のＰ個の面壁と、複数の締結棒と、を備え、前記締結棒のそれぞれは、少なくとも１対の側壁を物理的に相互接続し、前記側面磁石のうち少なくとも１つおよび前記極片のうち少なくとも１つを通過する。
【００１０】
磁気共鳴機器内の保持器を開示することが本考案の別の目的であり、それは、前記保持器が締結システムにより固定され、かつ、Ｍが２より大きいかまたは等しい整数である複数のＭ個の極片と、複数のＮが２より大きいかまたは等しい整数であり、前記極片を実質的に包囲し、それにより磁気包絡線および包囲された体積をその中で画定するＮ個の側面磁石と、前記側面磁石を実質的に包囲する複数のＮ個の側壁と、Ｐが２より大きいかまたは等しい整数である複数のＰ個の面壁と、複数の締結ネジと、を備えることを特徴とし、前記締結ネジのそれぞれは、前記面壁のうち１つを前記側壁のうち１つと物理的に相互接続する。
【００１１】
磁気共鳴機器内の保持器を開示することが本考案の別の目的であり、それは、前記保持器が締結システムにより固定され、かつ、Ｍが２より大きいかまたは等しい整数である複数のＭ個の極片とＭが２より大きいかまたは等しい整数である複数のＭ個の極片と、複数のＮが２より大きいかまたは等しい整数であり、前記極片を実質的に包囲し、それにより磁気包絡線および包囲された体積をその中で画定するＮ個の側面磁石と、前記側面磁石を実質的に包囲する複数のＮ個の側壁と、Ｐが２より大きいかまたは等しい整数である複数のＰ個の面壁と、複数の締結棒と、複数の締結ネジと、を備えることを特徴とし、前記締結棒のそれぞれは、少なくとも１対の側壁を物理的に相互接続し、前記側面磁石のうち少なくとも１つおよび前記極片のうち少なくとも１つを通過し、さらに、前記締結ネジのそれぞれは、前記面壁のうち１つを前記側壁のうち１つと物理的に相互接続する。
【００１２】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、少なくとも１つの成形された凹部により画定された前記側面磁石を実質的に包囲する複数のＮ個の側壁と、前記成形された凹部内に堅固に収容されるのに適した少なくとも１つの係留掛け金により画定されたＰが２より大きいかまたは等しい整数である複数のＰ個の面壁と、複数の締結ネジと、を備えることを特徴とし、前記係留掛け金のそれぞれは、前記面壁のうち１つを前記側壁のうち１つと物理的に相互接続する。
【００１３】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、前記側面磁石を実質的に包囲する複数のＮ個の側壁と、Ｐが２より大きいかまたは等しい整数である複数のＰ個の面壁と、随意に、一組の２つ以上の締結支台と、随意に爪車を用いて締結および固定された、少なくとも１つの締結ベルトと、を備えることを特徴とし、前記締結ベルトは、前記保持器の周囲の少なくとも一部を物理的に相互接続する。
【００１４】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、前記側面磁石を実質的に包囲する複数のＮ個の側壁と、Ｐが２より大きいかまたは等しい整数である複数のＰ個の面壁と、複数の締結棒と、随意に、一組の２つ以上の締結支台と、随意に爪車を用いて締結および固定された、少なくとも１つの締結ベルトと、を備えることを特徴とし、前記締結棒のそれぞれは、少なくとも１対の側壁を物理的に相互接続し、前記側面磁石のうち少なくとも１つおよび前記極片のうち少なくとも１つを通過し、さらに、前記締結ベルトは、前記保持器の周囲の少なくとも一部を物理的に相互接続する。
【００１５】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、前記側面磁石を実質的に包囲する複数のＮ個の側壁と、Ｐが２より大きいかまたは等しい整数である複数のＰ個の面壁と、複数の締結ネジと、随意に、一組の２つ以上の締結支台と、随意に爪車を用いて締結および固定された、少なくとも１つの締結ベルトと、を備えることを特徴とし、前記締結ネジのそれぞれは、前記面壁のうち１つを前記側壁のうち１つと物理的に相互接続し、さらに、前記締結ベルトのそれぞれは、前記保持器の周囲の少なくとも一部を物理的に相互接続する。
【００１６】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、前記側面磁石を実質的に包囲する複数のＮ個の側壁と、Ｐが２より大きいかまたは等しい整数である複数のＰ個の面壁と、複数の締結棒と、複数の締結ネジと、随意に、一組の２つ以上の締結支台と、随意に爪車を用いて締結および固定された、少なくとも１つの締結ベルトと、を備えることを特徴とし、前記締結棒のそれぞれは、少なくとも１対の側壁を物理的に相互接続し、前記側面磁石のうち少なくとも１つおよび前記極片のうち少なくとも１つを通過し、前記締結ネジのそれぞれは、前記面壁のうち１つを前記側壁のうち１つと物理的に相互接続し、さらに、前記締結ベルトのそれぞれは、前記保持器の周囲の少なくとも一部を物理的に相互接続する。
【００１７】
磁気共鳴機器内の保持器を開示することが本考案の別の目的であり、前記保持器が締結システムにより固定され、かつ、Ｍが２より大きいかまたは等しい整数である複数のＭ個の極片と、Ｎが２より大きいかまたは等しい整数であり、前記極片を実質的に包囲し、それにより磁気包絡線および包囲された体積をその中で画定する複数のＮ個の側面磁石と、少なくとも１つの成形された凹部により画定された前記側面磁石を実質的に包囲する複数のＮ個の側壁と、前記成形された凹部内に堅固に収容されるのに適した少なくとも１つの係留掛け金により画定されたＰが２より大きいかまたは等しい整数である複数のＰ個の面壁と、随意に、一組の２つ以上の締結支台と、随意に爪車を用いて締結および固定された、少なくとも１つの締結ベルトと、を備えることを特徴とし、前記締結ベルトは、前記保持器の周囲の少なくとも一部を物理的に相互接続し、さらに、前記係留掛け金のそれぞれは、前記面壁のうち１つを前記側壁のうち１つと物理的に相互接続する。
【００１８】
成形された内部および／または外部の横断面を特徴とする、磁気共鳴機器内の保持器を開示することが本考案の別の目的であり、その形状は、３つ以上の小平面を有する多角形、円筒およびそれらの任意の組み合わせから成る群から選択される。
【００１９】
磁気共鳴機器内の保持器を開示することが本考案の別の目的であり、締結手段が成形された横断面を特徴とするように構成され、その形状は、３つ以上の小平面を有する多角形、円筒およびそれらの任意の組み合わせから成る群から選択される。
【００２０】
ＭＲＤ内の締結／減衰システムを有する保持器を開示することが本考案の別の目的であり、Ｍが２より大きいかまたは等しい整数である複数のＭ個の極片と、Ｑが２より大きいかまたは等しい整数であり、少なくとも１つは少なくとも１つの極片に取り付けられ、主磁石および／または前記極片は、保持器が組み立てられる際に、磁石による最高に均質の磁気勾配の印加を保証する三次元構成内に位置付けられる複数のＱ個の主磁石と、複数のＮが２より大きいかまたは等しい整数であり、前記極片を実質的に包囲し、それにより磁気包絡線および包囲された体積をその中で画定するＮ個の側面磁石と、少なくとも１つの成形された凹部により画定された前記側面磁石を実質的に包囲する複数のＮ個の側壁と、Ｐが２より大きいかまたは等しい整数である複数のＰ個の面壁と、複数のＲ個の分離／調節棒（ＳＡＰ）であって、そこでＲは１より大きいかまたは等しい整数であり、前記ＳＡＰのそれぞれは、前記主磁石の極に対して実質的に北−南に配向され、かつ、端蓋、端杯部、潜在的に前記端蓋および端部間隙の間の前設定された間隙、前記主磁石および前記極片を横断し、前記ＳＡＰのうち少なくとも１つは、締結可能で、操縦可能で、またはそうでなければ、前記ＳＡＰの少なくとも一端に隣接して位置する制御された調節機構を用いて調節可能である、ＳＡＰと、を備え、前記ＳＡＰを締結、操縦、またはそうでなければ、前記制御された調節機構を用いて調節することにより、前記主磁石および／または前記極片の何れかの三次元構成が調節され、均質で、安定しかつ均一の磁場をその中に提供する。
【００２１】
成形された内部および／または外部の横断面を特徴とする、上記に定義されているとおりのＭＲＤ内の締結／減衰システムを有する保持器を開示することが本考案の別の目的であり、その形状は、３つ以上の小平面を有する多角形、円筒およびそれらの任意の組み合わせから成る群から選択される。
【００２２】
成形された横断面を特徴とする、上記に定義されているとおりのＭＲＤ内の締結／減衰システムを有する保持器を開示することが本考案の別の目的であり、その形状は、３つ以上の小平面を有する多角形、円筒およびそれらの任意の組み合わせから成る群から選択される。
【００２３】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、複数の面壁と、複数の締結棒と、を組み立てるステップと、（ｂ）前記側面磁石のうち少なくとも１つおよび前記極片のうち少なくとも１つに複数の締結棒を通過させ、前記棒が少なくとも１対の側壁を物理的に相互接続するように、効果的な寸法でそれらを締結するステップと、を備える。
【００２４】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、複数の面壁と、複数の締結ネジと、を組み立てるステップと、（ｂ）前記面壁のうち１つを前記締結ネジで前記側壁の１つと物理的に相互接続するステップと、を備える。
【００２５】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、複数の面壁と、複数の締結棒と、複数の締結ネジと、を組み立てるステップと、（ｂ）前記側面磁石のうち少なくとも１つおよび前記極片のうち少なくとも１つに複数の締結棒を通過させ、前記棒が少なくとも１対の側壁を物理的に相互接続するように、効果的な寸法でそれらを締結し、一方では前記面壁のうち１つを前記締結ネジで前記側壁の１つと物理的に相互接続するステップと、を備える。
【００２６】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、成形された凹部内に堅固に収容されるのに適した少なくとも１つの係留掛け金により画定された複数のＰ個の面壁と、複数の締結ネジと、を組み立てるステップと、（ｂ）前記面壁の係留掛け金のうち１つを前記側壁の１つと物理的に相互接続するステップと、を備える。
【００２７】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、複数の面壁と、随意に爪車を用いて締結および固定された、少なくとも１つの締結ベルトと、を組み立てるステップと、（ｂ）前記締結ベルトにより前記保持器の周囲の少なくとも一部を物理的に相互接続するステップと、を備える。
【００２８】
ＭＲＤ内の締結システムを有する保持器を締結する方法を開示することが本考案の別の目的であり、前記方法は、（ａ）複数の極片と、前記極片を実質的に包囲し、それにより磁気包絡線および包囲された体積をその中で画定する複数の側面磁石と、前記側面磁石を実質的に包囲する複数の側壁と、複数の面壁と、随意に爪車を用いて締結および固定された、少なくとも１つの締結ベルトと、複数の締結棒と、を組み立てるステップと、（ｂ）前記側面磁石のうち少なくとも１つおよび前記極片のうち少なくとも１つに複数の前記締結棒を通過させ、前記棒が少なくとも１対の側壁を物理的に相互接続するように、効果的な寸法でそれらを締結し、一方では前記締結ベルトにより前記保持器の周囲の少なくとも一部を物理的に相互接続するステップと、を備える。
【００２９】
ＭＲＤの締結された保持器内で試料空洞部内の磁場を減衰させる方法を開示することが本考案の別の目的であり、前記方法は、（ａ）複数の極片と、少なくとも１つは少なくとも１つの極片に取り付けられ、主磁石および／または前記極片は、保持器が組み立てられる際に、磁石による最高に均質の磁気勾配の印加を保証する三次元構成内に位置付けられる複数の主磁石と、前記極片を実質的に包囲し、それにより磁気包絡線および包囲された体積をその中で画定する複数の側面磁石と、少なくとも１つの成形された凹部により画定された前記側面磁石を実質的に包囲する複数の側壁と、複数の面壁と、複数のＲ個の分離／調節棒（ＳＡＰ）であって、そこでＲは１より大きいかまたは等しい整数であり、前記ＳＡＰのそれぞれは、前記主磁石に対して実質的に北−南に配向され、かつ、端蓋、端杯部、潜在的に前記端蓋および端部間隙の間の前設定された間隙、前記主磁石および前記極片を横断する、ＳＡＰと、を組み立てるステップと、（ｂ）前記主磁石および／または前記極片の何れかの三次元構成が調節され、均質で、安定しかつ均一の磁場をその中に提供するように、前記ＳＡＰのうち少なくとも１つを締結、操縦、またはそうでなければ、前記ＳＡＰの少なくとも一端に隣接して位置する制御された調節機構を用いて調節するステップと、を備える。
【図面の簡単な説明】
【００３０】
【図１Ａ】本考案の１つの実施形態による、締結システム（棒を基礎とするシステム１Ａおよび１Ｂ）を有する、ＭＲＤ内の代替の統合可能に締結されかつ機械的に固定された保持器の概略的上面図である。
【図１Ｂ】本考案の１つの実施形態による、締結システム（棒を基礎とするシステム１Ａおよび１Ｂ）を有する、ＭＲＤ内の代替の統合可能に締結されかつ機械的に固定された保持器の概略的上面図である。
【図２】本考案の別の実施形態による、締結システム（ネジを基礎とするシステム２）を有するＭＲＤ内の、別の統合可能に締結されかつ機械的に固定された保持器の概略的上面図である。
【図３】本考案の別の実施形態による、締結システム（棒およびネジの両方を基礎とするシステム３）を有する、ＭＲＤ内の別の統合可能に締結されかつ機械的に固定された保持器の概略的上面図である。
【図４】本考案の別の実施形態による、締結システム（棒およびネジの両方を基礎とするシステム４）を有する、ＭＲＤ内の別の統合可能に締結されかつ機械的に固定された保持器の概略的上面図である。
【図５】本考案の別の実施形態による、締結システム（棒および掛け金の両方を基礎とするシステム５）を有する、ＭＲＤ内の別の統合可能に締結されかつ機械的に固定された保持器の概略的側頂部を例解する図である。
【図６】本考案の別の実施形態による、締結システム（ケーブルを基礎とするシステム６）を有する、ＭＲＤ内の別の非統合的に締結されかつ機械的に固定された保持器の側面の概略的頂部を例解する図である。
【図７】本考案の別の実施形態による、締結システム（棒およびケーブルの両方を基礎とするシステム７）を有する、ＭＲＤ内の非統合的な保持器および統合可能に締結されて機械的に固定された保持器の両方の概略的頂部を例解する図である。
【図８】本考案の別の実施形態による、締結システム（掛け金またはネジおよびケーブルの両方を基礎とするシステム８）を有する、ＭＲＤ内の非統合的な保持器および統合可能に締結されて機械的に固定された保持器の両方の概略的上面図である。
【図９】本考案の別の実施形態による、締結システム（掛け金またはネジおよびケーブルの両方を基礎とするシステム９）を有する、ＭＲＤ内の非統合的な保持器および統合可能に締結されて機械的に固定された保持器の両方の概略的上面図である。
【図１０】本考案の別の実施形態による、締結システム（掛け金またはネジおよびケーブルの両方を基礎とするシステム１０）を有する、ＭＲＤ内の非統合的な保持器および統合可能に締結されて機械的に固定された保持器の両方の概略的上面図である。
【図１１】その中に試料が導入される、保持器により閉じ込められた試料空洞部内に均質で、安定しかつ均一の磁場を提供するために有用な、本考案の別の実施形態による、減衰／締結システム（ＳＡＰを基礎とするシステム１１）を有する、ＭＲＤ内の減衰可能な保持器の概略的側面図を例解する図である。
【図１２ａ】上記に定義されているとおりの減衰／締結システム（ＳＡＰを基礎とするシステム１１）を有する、ＭＲＤ内の減衰可能な保持器の概略的側面図をそれぞれ例解する図１２ａは上面図である。
【図１２ｂ】上記に定義されているとおりの減衰／締結システム（ＳＡＰを基礎とするシステム１１）を有する、ＭＲＤ内の減衰可能な保持器の概略的側面図をそれぞれ例解する切り目Ａ：Ａに沿った同一物の上面図である。
【図１３】その中に試料が導入される、保持器により閉じ込められた試料空洞部内に均質で、安定しかつ均一の磁場を提供するために有用な、本考案の別の実施形態による、異なる減衰／締結システム（ＳＡＰを基礎とするシステム１２）を有する、ＭＲＤ内の減衰可能な保持器の概略的側面図である。
【考案を実施するための形態】
【００３１】
本考案を理解し、かつそれを実際にどのように実施することができるかを見るために、複数の実施形態が、非限定的な例のみを経て、添付の図面を参照して、ここで記載されるように適合されている。
【００３２】
以下の記載は、任意の当業者が本考案を使用することを可能にするために提供され、かつ、本考案者により熟慮される、本考案を実施する最良の形態を説明する。しかしながら、本考案の一般的原理が締結／減衰システムを有するＭＲＤ内の保持器およびその方法を提供するように具体的に定義されているので、様々な修正が当業者にとって明白なままとなるだろう。従って、本考案は、図中に例解されかつ本明細書内に記載されているものに限定されないが、添付の請求の範囲に示されているとおりのみであり、適切な範囲は請求の範囲の最も広範な解釈によってのみ決定される。
【００３３】
「磁気共鳴機器」（ＭＲＤ）という用語は、下文において、任意の磁気共鳴結像（ＭＲＩ）機器、任意の核磁気共鳴（ＮＭＲ）分光器、任意の電子スピン共鳴（ＥＳＲ）分光器、任意の核四極共鳴（ＮＱＲ）またはそれらの任意の組み合わせに当てはまる。
【００３４】
「公差」という用語は、下文において、壁の変位を可能にする、角磁石および保持器壁の間における間隔を指す。
【００３５】
「約」という用語は、下文において、定義されている寸法の±２０％を指す。「複数」という用語は、特記されなければ、下文において、１より大きいかまたは等しい任意の整数に当てはまる。
【００３６】
「調節する」という用語は、下文において、磁場の均一性を最適化する、組み立ての前または後の磁石のパラメータの変化に当てはまる。
【００３７】
「極片」という用語は、下文において、永久磁石から磁束の均一性を成形するために用いられる高透過性の材料の要素に当てはまる。極−磁石片が金属合金化材料から、特に鋼材料から選択されることは、本考案の範囲内にある。
【００３８】
極片という用語が、診断区域内にて均質で、安定しかつ均一の磁場を保証するように適合され、閉じ込められた体積、試料空洞部等として下記に相互交換可能に記載されている、減衰可能またはそうでなければ調節可能な極片も指すことは、本考案の範囲内にある。それ故に、例えば、円環体および円盤形状の環、立方体または任意の他の構造を、極片に隣接してまたは中に組み込み、かつ、強磁性金属、非強磁性金属、非金属性物質または磁性材料から押出成型することができる。
【００３９】
非限定的に提示される本考案の一実施形態によれば、直径が主磁石におおよそ等しい正しく固体の円筒形部分として形成される鋼極片は、主磁石および主磁石面と正対して位置付けられる。全体の組立体は、正しく円筒形または多角形の鋼胴枠、つまり、円筒形または多角形の鋼端杯部により遮断される保持器内に位置付けられる。第２の永久磁石組立体は、実質的に同一の構成部および構造を有し、かつそれらの間に空隙を形成するように第２の磁石組立体から離間された、同一で鏡像の永久磁石組立体と正対関係にある胴枠つまり保持器内に配置される。鋼胴枠は、磁石組立体および空隙を包囲するように延在する。一対の取り外し可能な側壁は、胴枠つまり保持器から取り外される際に空隙への接近を可能にする。極性が逆の永久磁石組立体は、空隙の全体にて磁束場を創出する。空隙の中央に位置する分節は、その全体にて磁束がその最も強力かつ均一の状態にある診断区域として同定される。
【００４０】
「側面磁石」という用語は、下文において、極片の側面の周りに配列された永久磁石に当てはまる。側面磁石の少なくとも一部が超伝導体または強磁性体であることは、本考案の範囲内にある。
【００４１】
従って、外側殻を特徴とする、均質で、安定しかつ均一の磁場をその中に提供するためのＭＲＤの効率的な保持器を提供することは、本考案の１つの実施形態である。保持器内で統合された締結システムが、図１ａおよび図１ｂ中の代替の構成（１Ａおよび１Ｂ）にて開示されかつ示される。両方の構成１Ａおよび１Ｂ、ならびに下記に定義されている保持器２〜１１が、概略的に（原寸に比例せず）例解される。締結システム（１）を有する保持器は、Ｍが２より大きいかまたは等しい整数である複数のＭ個の極片（４５）と、Ｎが２より大きいかまたは等しい整数であり、極片を実質的に包囲し、それにより磁気包絡線および包囲された体積をその中で画定する複数のＮ個の側面磁石（２０）と、側面磁石を実質的に包囲する複数のＮ個の側壁（１０）と、Ｐが２より大きいかまたは等しい整数である複数のＰ個の面壁（３０）と、複数の締結棒（１００）と、を備える。当該締結棒のそれぞれは、少なくとも１対の側壁を物理的に相互接続し、側面磁石のうち少なくとも１つおよび極片（４５）のうち少なくとも１つを通過する。当該壁の少なくとも一部が金属合金、好ましくは軟鉄合金で作られることは、本考案の範囲内にある。当該保持器の全体的な輪郭が、（ｉ）四面体、五面体または六面体等の多面体、丸みを帯びた、湾曲した、または円形の横断面またはそれらの任意の組み合わせを特徴とすることも、本考案の範囲内にある。
【００４２】
棒（１００）は、金属、特にステンレス鋼、重合体、複合材料およびそれらの混合物から成る群から非限定的に選択される材料で、少なくとも部分的に作られる。当該棒が成形された横断面を特徴とする伸長した部材であることは、本考案の範囲内にあり、その形状は、長方形状、多角形状、丸みを帯びた形状、ねじれた円、湾曲した形状、三日月形を有する形状、凹部、隙間、穿孔または切欠き、ネジおよびそれらの組み合わせから成る群から非制限的に選択される。
【００４３】
当該保持器の壁のうち少なくとも１つが、当該保持器の壁が変位し、かつ当該保持器の磁場の漏出を防止することを可能にする公差を画定する、縁を包含する接続部を介して隣接する壁と相互接続されることが、さらに本考案の範囲内にある。
【００４４】
本考案の別の実施形態によれば、ＭＲＤ内の締結システムを有する保持器が、図２中に開示されかつ示される。締結システム（２）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、Ｐが２より大きいかまたは等しい整数である複数のＰ個の面壁（３０）と、複数の締結ネジ（２００）と、を備える。当該締結ネジのそれぞれは、面壁のうち１つを側壁のうち１つと物理的に相互接続する。
【００４５】
本考案の別の実施形態によれば、ＭＲＤ内の締結システムを有する保持器が、図３中に開示されかつ示される。締結システム（３）を有する保持器は、複数のＭが２より大きいかまたは等しい整数であるＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、複数のＰが２より大きいかまたは等しい整数であるＰ個の面壁（３０）と、複数の締結棒（１００）と、複数の締結ネジ（２００）と、を備える。当該締結棒のそれぞれは、少なくとも１対の側壁を物理的に相互接続し、側面磁石のうち少なくとも１つおよび極片（４５）のうち少なくとも１つを通過し、さらに、当該締結ネジのそれぞれは、面壁のうち１つを側壁のうち１つと物理的に相互接続する。
【００４６】
本考案の別の実施形態によれば、ＭＲＤ内の締結システムを有する保持器が、図４中に開示されかつ示される。締結システム（４）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、少なくとも１つの成形された凹部により画定された側面磁石を実質的に包囲する複数のＮ個の側壁（１０）と、成形された凹部内に堅固に収容されるのに適した少なくとも１つの係留掛け金（２１０）により画定されたＰが２より大きいかまたは等しい整数である複数のＰ個の面壁（３０）と、複数の締結ネジ（２００）と、を備える。当該係留掛け金のそれぞれは、面壁のうち１つを側壁のうち１つと物理的に相互接続する。
【００４７】
本考案の別の実施形態によれば、ＭＲＤ内の締結システムを有する保持器が、図５中に開示されかつ示される。締結システム（５）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、少なくとも１つの成形された凹部により画定された側面磁石を実質的に包囲する複数のＮ個の側壁（１０）と、成形された凹部内に堅固に収容されるのに適した少なくとも１つのネジ（２０５）により画定されたＰが２より大きいかまたは等しい整数である複数のＰ個の面壁（３０）と、複数の締結ネジ（２００）と、を備える。当該係留掛け金のそれぞれは、面壁のうち１つを側壁のうち１つと物理的に相互接続する。
【００４８】
本考案の別の実施形態によれば、ＭＲＤ内の締結システムを有する保持器が、図６中に開示されかつ示される。締結システム（６）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、Ｐが２より大きいかまたは等しい整数である複数のＰ個の面壁（３０）と、随意に、一組の２つ以上の締結支台（３００）と、随意に爪車４０１を用いて締結および固定された、少なくとも１つの締結ベルト（４００）と、を備える。当該締結ベルトは、当該保持器の周囲の少なくとも一部を物理的に相互接続する。
【００４９】
本考案の別の実施形態によれば、ＭＲＤ内の締結システムを有する保持器が、図７中に開示されかつ示される。締結システム（７）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、Ｐが２より大きいかまたは等しい整数である複数のＰ個の面壁（３０）と、複数の締結棒（１００）と、随意に、一組の２つ以上の締結支台（３００）と、随意に爪車４０１を用いて締結および固定された、少なくとも１つの締結ベルト（４００）と、を備える。当該締結棒のそれぞれは、少なくとも１対の側壁を物理的に相互接続し、側面磁石のうち少なくとも１つおよび極片（４５）のうち少なくとも１つを通過し、さらに、当該締結ベルトは、当該保持器の周囲の少なくとも一部を物理的に相互接続する。
【００５０】
本考案の別の実施形態によれば、ＭＲＤ内の締結システムを有する保持器が、図８中に開示されかつ示される。締結システム（８）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、Ｐが２より大きいかまたは等しい整数である複数のＰ個の面壁（３０）と、複数の締結ネジ（２００）と、随意に、一組の２つ以上の締結支台（３００）と、随意に爪車４０１を用いて締結および固定された、少なくとも１つの締結ベルト（４００）と、を備える。当該締結ネジのそれぞれは、面壁のうち１つを壁のうち１つと物理的に相互接続し、さらに、各締結ベルトは、当該保持器の周囲の少なくとも一部を物理的に相互接続する。
【００５１】
本考案の別の実施形態によれば、ＭＲＤ内の締結システムを有する保持器が、図９中に開示されかつ示される。締結システム（９）を有する保持器は、Ｍが２より大きいかまたは等しい整数である複数のＭ個の極片（４５）と、Ｎが２より大きいかまたは等しい整数であり、極片（４５）を実質的に包囲し、それにより磁気包絡線および包囲された体積をその中で画定する複数のＮ個の側面磁石と、側面磁石を実質的に包囲する複数のＮ個の側壁（１０）と、Ｐが２より大きいかまたは等しい整数である複数のＰ個の面壁（３０）と、複数の締結棒（１００）と、複数の締結ネジ（２００）と、随意に、一組の２つ以上の締結支台（３００）と、随意に爪車４０１を用いて締結および固定された、少なくとも１つの締結ベルト（４００）と、を備える。当該締結棒のそれぞれは、少なくとも１対の側壁を物理的に相互接続し、側面磁石のうち少なくとも１つおよび極片（４５）のうち少なくとも１つを通過し、当該締結ネジのそれぞれは、面壁のうち１つを側壁のうち１つと物理的に相互接続し、さらに、当該締結ベルトのそれぞれは、当該保持器の周囲の少なくとも一部を物理的に相互接続する。
【００５２】
本考案の別の実施形態によれば、ＭＲＤ内の締結システムを有する保持器が、図１０中に開示されかつ示される。締結システム（１０）を有する保持器は、Ｍが２より大きいかまたは等しい整数である複数のＭ個の極片（４５）と、Ｎが２より大きいかまたは等しい整数であり、当該側面磁石は極片（４５）を実質的に包囲し、それにより磁気包絡線および包囲された体積をその中で画定する複数のＮ個の側面磁石（２０）と、少なくとも１つの成形された凹部により画定された側面磁石を実質的に包囲する複数のＮ個の側壁（１０）と、成形された凹部内に堅固に収容されるのに適した少なくとも１つの係留掛け金（２１０）により画定されたＰが２より大きいかまたは等しい整数である複数のＰ個の面壁（３０）と、随意に、一組の２つ以上の締結支台（３００）と、随意に爪車４０１を用いて締結および固定された、少なくとも１つの締結ベルト（４００）と、を備える。当該締結ベルトは、当該保持器の周囲の少なくとも一部を物理的に相互接続し、さらに、当該係留掛け金のそれぞれは、面壁のうち１つを側壁のうち１つと物理的に相互接続する。
【００５３】
締結ベルト（４００）は、金属、特にステンレス鋼、重合体、複合材料およびそれらの混合物から成る群から非限定的に選択される材料で、少なくとも部分的に作られる。当該締結ベルトは、可撓性または非可撓性の材料から構築される。当該ベルトは、幅狭でも幅広でもよい。複数のベルト（例えば、それらのうちいくつかが他のものの中に組み込まれるもの）を備える網は、有用な選択肢である。
【００５４】
本考案の別の実施形態によれば、締結／減衰システム（１１）を有するＭＲＤ内の保持器が、図１１（側面図）中に開示されかつ示され、Ｍが２より大きいかまたは等しい整数である複数のＭ個の側面磁石（４０）、と、Ｑが２より大きいかまたは等しい整数であり、少なくとも１つは少なくとも１つの極片（４５）に取り付けられ、主磁石および／または当該極片は、当該保持器が組み立てられる際に、当該磁石による最高に均質の磁気勾配の印加を保証する三次元構成内に位置付けられる、複数のＱ個の主磁石（１２６）と、Ｎが２より大きいかまたは等しい整数であり、極片（４５）を実質的に包囲し、それにより磁気包絡線および包囲された体積をその中で画定する複数のＮ個の側面磁石（２０）と、少なくとも１つの成形された凹部により画定された側面磁石を実質的に包囲する複数のＮ個の側壁（１０）と、Ｐが２より大きいかまたは等しい整数である複数のＰ個の面壁（３０）と、随意に、設けられる成形された凹部内に堅固に収容されるのに適した、少なくとも１つの係留掛け金（２１０）と、Ｒ個の分離／調節棒（ＳＡＰ、１２４）（ここでは、ネジ棒）であって、そこでＲは１より大きいかまたは等しい整数であり、当該ＳＡＰのそれぞれは、端部、側面図では、極片（４５）、蓋（１２３）、随意に外壁（１２８）、端杯部（１２１）、潜在的に端蓋および端部間隙の間の前設定された間隙（１２２）、主磁石（１２６）および極片（４５）を横断し、当該ＳＡＰのうち少なくとも１つは、締結可能で、操縦可能で、またはそうでなければ、当該ＳＡＰの少なくとも一端に隣接して位置する、制御された減衰機構（１２５）、例えば、ネジ釘等を用いて調節可能である、ＳＡＰと、を備える。当該ＳＡＰを締結、操縦、またはそうでなければ、制御された減衰機構を用いて調節することにより、主磁石および／または極片（４５）の何れかの三次元構成が調節され、（ｉ）その中における均質で、安定しかつ均一の磁場と、（ｉｉ）その中に試料が導入される、当該保持器により閉じ込められた比較的大きい試料空洞部と、を提供する。
【００５５】
一組の２つ以上の締結支台（３００）および／または少なくとも１つの締結ベルト（４００）が、保持器の周囲の少なくとも一部を物理的に相互接続することも、本考案の範囲内にある。また、本考案の範囲内には、上記に定義されているとおりの成形された凹部内に堅固に収容されるのに適した少なくとも１つの係留掛け金を有する、締結／減衰システム（１１）を有するＭＲＤ内の保持器がある。
【００５６】
ここで、上記に定義されているとおりの締結／減衰システム（１１）を有するＭＲＤ内の保持器を提示する図１２ａおよび１２ｂについて言及する。図１２ａ（側面図）中に例解される横断面Ａ：Ａは、原寸に比例しない横断面（上面図）にて図１２ｂ中にさらに概略的に提示され、端蓋（破線１２３）、端杯部（破線１２１）、ＳＡＰ（１２４）、側面磁石（４０）、および極片（４５）を備える。側面磁石４０は、好ましくは幅狭の空隙１２２ａ内に位置付けられる。
【００５７】
本考案の別の実施形態によれば、締結／減衰システム（１２）を有するＭＲＤ内の保持器が、図１２（側面図）中に開示されかつ示される。図１２中に示される機器は、少しの変更を除いては、図１１中に開示されかつ定義されるものと同様である：例えば、極片４５が、減衰手段を収容するように適合された１つ以上の凹部（空洞部、溝、経路、導管、穿孔等）をさらに備える。当該減衰手段は、最初のＭＲＤ／保持器の磁石配列により創出された磁束を調節するために利用される部材である。当該減衰手段は各はさみ金に回転可能に受支された複数のかんぬきを含むことがあり、それにより各かんぬきは極片に対して個別に軸方向に調節可能であり、それにより各はさみ金を各空洞部の中または外の方向に位置付けることができ、それにより各はさみ金を極片軸に対して斜めに位置付けることができる。加えてまたは代替的に、長方形または他の横断面を有する円環体の環または環状の構造を用いることができる。
【００５８】
それ故に、例えば、凹部１３０は、円盤１４０を配置するように適合された円盤溝である。測定体積（１３０）に隣接して、かつ／または反対の場所（１３１）内に位置付けられた凹部内に位置する円盤は、連続的でかつ均質／不均質の組成物（たとえば１４０を参照されたい）で作られるか、またはそうでなければ、様々な形状、大きさおよび組成の１つ以上の減衰手段（１４３）を包含するように適合された１つ以上の穿孔（１４２を参照されたい）を設けられるかの何れかである。加えてまたは代替的に、極片４５は、測定体積に隣接して位置付けられた溝（１３２）、および／または反対方向に位置する溝（１３３）等の、１つ以上の側方凹部を備える。溝１３２および／または１３３は、長方形（多角形）の横断面（１４４）、円筒形または楕円体の横断面（１４５）等のような、任意の大きさ、形状および組成の環を包含するように適合される。
【００５９】
ＳＡＰを締結、操縦、またはそうでなければ、制御された減衰機構を用いて調節することにより、主磁石および／または極片の三次元構成が調節され、（ｉ）その中における均質で、安定しかつ均一の磁場と、（ｉｉ）その中に試料が導入される、保持器により閉じ込められた比較的大きい試料空洞部と、を提供する。
【００６０】
本考案の別の実施形態において、統合可能に締結された保持器を得る方法が開示され、上記に定義されているとおりの少なくとも１つの内部（統合）締結手段、例えば、締結棒、締結ネジ、係留掛け金等を組み込むステップを備える。
【００６１】
本考案の別の実施形態において、非統合的な締結された保持器を得る方法が開示され、上記に定義されているとおりの少なくとも１つの外部（非統合）締結手段、例えば、締結ベルトを組み込むステップを備える。
【００６２】
本考案の別の実施形態において、ＭＲＤの統合可能に敏感に減衰された保持器を得る方法が開示される。当該方法は、上記に定義されているとおりにＭＲＤを提供するステップと、（ｂ）保持器内に複数のＳＡＰを組み込み、随意に、（ｉ）上記に定義されているとおりの少なくとも１つの内部（統合）減衰手段、例えば、締結棒、締結ネジ、係留掛け金等、および（ｉｉ）上記に定義されているとおりの少なくとも１つの外部（非統合）締結手段、例えば、締結ベルトの何れかまたは両方を組み込むステップと、（ｃ）１つまたは複数のＳＡＰを締結、操縦、またはそうでなければ、制御された減衰機構を用いて調節し、このようにして、その中に試料が導入される、保持器により閉じ込められた試料空洞部内に均質で、安定しかつ均一の磁場を提供するステップと、を備える。
【図１Ａ】
0003177176.tif 000003
【図１Ｂ】
0003177176.tif 000004
【図２】
0003177176.tif 000005
【図３】
0003177176.tif 000006
【図４】
0003177176.tif 000007
【図５】
0003177176.tif 000008
【図６】
0003177176.tif 000009
【図７】
0003177176.tif 000010
【図８】
0003177176.tif 000011
【図９】
0003177176.tif 000012
【図１０】
0003177176.tif 000013
【図１１】
0003177176.tif 000014
【図１２ａ】
0003177176.tif 000015
【図１２ｂ】
0003177176.tif 000016
【図１３】
0003177176.tif 000017